(57)【要約】【課題】ログイン中のユーザの操作権限を容易に把握することができる表示操作装置およびこの表示操作装置を有する成形機を提供する。【解決手段】射出成形機１は、成形機本体１０と、表示操作装置２０とを備えている。表示操作装置２０は、表示部２１と、タッチパネル２２と、ユーザのログイン情報およびグループを関連付けて記憶する記憶部５９と、を備えている。そして、制御部６０は、ユーザのログイン中は当該ユーザのユーザ名および当該ユーザが属するグループを表示部２１に表示させる。【選択図】図４
2017179730.tif 000002
【特許請求の範囲】
【請求項１】
成形機に用いられる表示操作装置であって、
表示部と、
ユーザを識別する識別情報を含むログイン情報が入力される入力部と、
前記ユーザの前記ログイン情報および操作権限の種別を関連付けて記憶する記憶部と、
前記表示部の制御を行う表示制御部とを備え、
前記表示制御部が、前記ユーザのログイン中は、当該ユーザの識別情報および前記操作権限の種別を前記表示部に表示させることを特徴とする表示操作装置。
【請求項２】
請求項１に記載の表示操作装置において、
前記表示制御部は、前記ユーザのログイン中に操作の行われない状態が所定時間継続した場合、現在の前記操作権限の種別を予め定められたデフォルトの種別にするとともに、前記デフォルトの種別を前記表示部に表示させることを特徴とする表示操作装置。
【請求項３】
請求項１又は２に記載の表示操作装置において、
前記操作権限の種別の表示は、前記操作権限の種別毎に割り当てられた色を表示することを含むことを特徴とする表示操作装置。
【請求項４】
請求項１〜請求項３のいずれか一項に記載の表示操作装置において、
前記表示制御部は、メッセージ入力画面およびメッセージ表示画面を前記表示部に表示可能であり、
前記入力部は、前記メッセージ入力画面が前記表示部に表示されているときに、メッセージおよび当該メッセージに対応する前記操作権限の種別を入力可能であり、
前記表示制御部は、前記メッセージに対応する前記操作権限の種別の前記ユーザがログイン中のときのみ当該メッセージを含む前記メッセージ表示画面を前記表示部に表示させることを特徴とする表示操作装置。
【請求項５】
請求項４に記載の表示操作装置において、
前記表示制御部は、前記ユーザのログイン中に操作の行われない状態が所定時間継続した場合、現在の前記操作権限の種別を予め定められたデフォルトの種別にするとともに、前記表示部に前記デフォルトの種別を表示させ、さらに、ログイン中の前記ユーザの前記操作権限の種別に対応するメッセージを含む前記メッセージ表示画面に代えて、前記デフォルトの種別に対応するメッセージを含む前記メッセージ表示画面を前記表示部に表示させることを特徴とする表示操作装置。
【請求項６】
請求項１〜請求項５のいずれか一項に記載の表示操作装置と、
前記表示操作装置に入力された操作に応じて動作する成形装置と、を備えたことを特徴とする成形機。
【発明の詳細な説明】
【技術分野】
【０００１】
本発明は、射出成形機やダイカストマシンなどの成形機に用いられる表示操作装置およびこの表示操作装置を有する成形機に関する。
【背景技術】
【０００２】
射出成形機やダイカストマシンなどの成形機では、その操作や管理に複数のユーザが関与する。複数のユーザには、例えば、成形機の設定を行う者、成形機の運転を行う者、又は各ユーザの管理を行う者等の異なる職種の者が含まれている。【０００３】
本願出願人は、ユーザが複数存在する成形機であって、各ユーザに対する成形機の操作権限を管理することによりセキュリティを向上させるユーザ管理機能を備えた成形機を特許文献１にて開示している。【０００４】
この成形機は、ユーザを管理者や作業者などの職種に応じてグループ化し、それぞれの職種に応じた操作権限のみを各グループに付与する。この成形機は、ユーザがログインした際には、当該ユーザの属するグループ用の操作画面を表示させて、当該グループに付与された操作権限内の操作のみを許可する。そして、この成形機は、所定時間操作がなかった場合に、グループをデフォルトレベルに自動的に変更する。これにより、デフォルトレベルより広範な操作権限が付与されたグループでログインした状態が長時間継続してしまうことを防止する。このようにして、セキュリティの向上を図っている。
【先行技術文献】
【特許文献】
【０００５】
【特許文献１】特許第４８７８７７０号公報
【発明の概要】
【発明が解決しようとする課題】
【０００６】
上記特許文献１に開示された成形機は、上記構成によりセキュリティの向上が図られているが、例えば、ユーザが一時的に成形機から離れ、前記所定時間が経過する前に他のユーザが成形機の操作を行う必要が生じた際に、前記ユーザの属するグループと前記他のユーザの属するグループとが異なる場合がある。【０００７】
このような場合、この成形機では、操作画面が各グループに対応した画面となっているため、成形機に精通したユーザであれば、その画面を見ることにより現在どのグループでログインしているか把握できる。【０００８】
しかしながら、成形機に精通していないユーザの場合、操作画面を見ただけでは現在ログインしているグループ、すなわち、操作権限を把握することができなかった。【０００９】
そこで、本発明は、ログイン中のユーザの操作権限を容易に把握することができる表示操作装置およびこの表示操作装置を有する成形機を提供することを目的とする。
【課題を解決するための手段】
【００１０】
上記目的を達成するために、本発明の一態様の表示操作装置は、成形機に用いられる表示操作装置であって、表示部と、ユーザを識別する識別情報を含むログイン情報が入力される入力部と、前記ユーザの前記ログイン情報および操作権限の種別を関連付けて記憶する記憶部と、前記表示部の制御を行う表示制御部とを備え、前記表示制御部が、前記ユーザのログイン中は、当該ユーザの識別情報および前記操作権限の種別を前記表示部に表示させることを特徴とする。【００１１】
本発明によれば、ログインしたユーザが一時的に成形機から離れ、他のユーザが成形機の操作を行おうとした場合であっても、ユーザの識別情報及び操作権限の種別の表示によって当該他のユーザは成形機の現在の操作権限を一目で認識することができる。【００１２】
具体的には、表示部にユーザの識別情報が表示されていることにより、当該他のユーザは、成形機のログイン状態が自己がログインした状態であるのか、他人がログインした状態であるのかを一目で認識することができる。【００１３】
また、表示部に操作権限の種別が表示されていることにより、当該他のユーザは、成形機の操作を行うにあたり、操作権限の種別が同じであるため通常の操作を行えばよいのか、操作権限の種別が異なっているため慎重に操作を行う必要があるのかを一目で認識することができる。【００１４】
また、当該他のユーザが、自身が成形機にログインしていない場合であって、緊急に操作を行う必要がない場合には、当該他のユーザは成形機にログインし直して操作を行えばよい。また、当該他のユーザが、緊急に操作を行う必要がある場合には、自身の操作権限の種別と現在ログイン中のユーザの操作権限の種別との相違に注意して操作を行うことができるので、自己の操作権限を越えて操作を行う可能性を低減させることができる。【００１５】
また、現在ログイン中のユーザの操作権限の種別が当該他のユーザの操作権限の種別より操作の制約が多く、その制約を越えて操作を行わなければならない場合であっても、表示部に操作権限の種別が表示されているので、即座にログインし直すことができる。【００１６】
また、本発明の表示操作装置において、前記表示制御部は、前記ユーザのログイン中に操作の行われない状態が所定時間継続した場合、現在の前記操作権限の種別を予め定められたデフォルトの種別にするとともに、前記デフォルトの種別を前記表示部に表示させることが好ましい。【００１７】
このようにすることで、成形機の操作が行われない状態が所定時間継続した場合は、操作権限の種別がデフォルトの種別となり、その旨が表示部に表示される。この状態をデフォルト状態とすると、このデフォルト状態では成形機の設定変更を不可として成形機の操作のみが行えるようにすることもできる。一方で、デフォルト状態ではできない操作を必要とするユーザは、上記表示部の表示によって、現在のログイン状況がデフォルト状態であることが一目で確認できるため、自己がログインし直す必要があることが一目で認識できる。【００１８】
また、本発明の表示操作装置においては、前記操作権限の種別の表示は、前記操作権限の種別毎に割り当てられた色を表示することを含むことが好ましい。このようにすることで、ユーザは成形機の表示部を見た場合に、現在ログイン中のユーザの操作権限の種別を認識することができるので、ユーザは感覚的かつ迅速に可能な操作を認識することができる。【００１９】
また、本発明の表示操作装置においては、前記表示制御部は、メッセージ入力画面およびメッセージ表示画面を前記表示部に表示可能であり、前記入力部は、前記メッセージ入力画面が前記表示部に表示されているときに、メッセージおよび当該メッセージに対応する前記操作権限の種別を入力可能であり、前記表示制御部は、前記メッセージに対応する前記操作権限の種別の前記ユーザがログイン中のときのみ当該メッセージを含む前記メッセージ表示画面を前記表示部に表示させることが好ましい。【００２０】
このようにすることで、異なる操作権限の種別のユーザに対して、それぞれの操作権限に応じた異なるメッセージを表示させることができる。また、同一の操作権限のユーザに対して、統一したメッセージを表示させることができる。【００２１】
また、本発明の表示操作装置においては、前記表示制御部は、前記ユーザのログイン中に操作の行われない状態が所定時間継続した場合、現在の前記操作権限の種別を予め定められたデフォルトの種別にするとともに、前記表示部に前記デフォルトの種別を表示させ、さらに、ログイン中の前記ユーザの前記操作権限の種別に対応するメッセージを含む前記メッセージ表示画面に代えて、前記デフォルトの種別に対応するメッセージを含む前記メッセージ表示画面を前記表示部に表示させることが好ましい。このようにすることで、デフォルト状態に応じたメッセージを表示することができる。【００２２】
本発明の他の一態様の成形機は、上記表示操作装置と、前記表示操作装置に入力された操作に応じて動作する成形装置と、を備えたことを特徴とする。本発明によれば、ログインしたユーザが一時的に成形機から離れ、他のユーザが成形機の操作を行おうとした場合であっても、ユーザの識別情報及び操作権限の種別の表示によって当該他のユーザは成形機の現在の操作権限を一目で認識することができる。
【発明の効果】
【００２３】
本発明によれば、ログイン中のユーザの操作権限を容易に把握することができる。
【図面の簡単な説明】
【００２４】
【図１】本発明の一実施形態に係る射出成形機の正面図。
【図２】図１の射出成形機が備える表示操作装置の正面図。
【図３】図１の射出成形機の概略構成を示す機能ブロック図。
【図４】（Ａ）は図２の表示操作装置の表示例を示す説明図、（Ｂ）及び（Ｃ）はログイン表示の例を示す説明図。
【図５】図２の表示操作装置に表示されるログイン画面を示す説明図。
【図６】図２の表示操作装置に表示されるメッセージ入力画面を示す説明図。
【図７】（Ａ）及び（Ｂ）は図２の表示操作装置に表示されるメッセージ表示画面を示す説明図。
【発明を実施するための形態】
【００２５】
図１に示すように、本発明の成形機の一実施形態である射出成形機１は、成形装置としての成形機本体１０と、表示操作装置２０とを備えている。
【００２６】
成形機本体１０は、内部機構として、加熱シリンダ、加熱シリンダ内に回転可能かつ前後進可能に収納されたスクリュー、加熱シリンダの末端側に備えられ、スクリューの溝内に原料樹脂を供給するホッパ、加熱シリンダの先端側に備えられ、金型が設置される型締装置、加熱シリンダを加熱するバンドヒータ、スクリューを回転させる駆動部、スクリューを前後進移動させる駆動部、型締装置において金型の開閉、成形品の突出し（エジェクト）を行うための駆動部、上記各駆動部を駆動するドライバ群、射出成形に係る各種情報を検出するセンサ群、及びコントローラ等を備えている（それぞれ図示省略）。
【００２７】
成形機本体１０のコントローラは、成形機本体１０の全体の動作を司る機能部であり、コンピュータを有して構成されている。成形機本体１０のコントローラは、例えば、可塑化動作、射出動作、型開閉動作、エジェクト動作等の成形行程全体の制御や、センサ群の実測値の演算・格納処理、良品／不良品の判定処理、異常判定処理等の演算・判定処理などの射出成形に係る一連の射出成形動作を実行する。さらに、成形機本体１０のコントローラは、後述する表示操作装置２０と通信可能に接続されており、表示操作装置２０に各種表示情報を送信するとともに、表示操作装置２０から各種機能実行指令情報を受信する。
【００２８】
表示操作装置２０は、図２、図３に示すように、表示部２１と、入力部としてのタッチパネル２２と、多機能操作スイッチ４１〜５０と、モード操作スイッチ５１〜５５と、共用操作スイッチ５６と、ＬＥＤ５７と、入出力部５８と、記憶部５９と、制御部６０と、ケース７０とを有している。
【００２９】
表示部２１は、例えば、液晶ディスプレイや有機ＥＬディスプレイなどのフラットパネルディスプレイで構成されている。表示部２１は、後述する制御部６０から出力された表示制御情報に基づき、数値や画像、グラフ等の各種情報、および、キーボード、テンキー、操作ボタン等の各種操作スイッチ画像などを表示する。表示部２１は、縦長に配置されたケース７０の正面部７１の中央に縦長となるように配置されている。
【００３０】
表示部２１は、図２に示すように、表示領域が、上から順に画面タイトル領域２１ａ、モニター値表示領域２１ｂ、メイン画面領域２１ｃ、サブ画面領域２１ｄ、操作スイッチ領域２１ｅおよび機能ラベル表示領域２１ｆの６つの領域に分割される。
【００３１】
画面タイトル領域２１ａには、例えば、表示している画面の名称（タイトル）および当該画面に割り当てられた画面番号が表示される。
【００３２】
モニター値表示領域２１ｂには、例えば、成形機本体１０のセンサ群によって検出された射出成形動作に係る各種検出値などが表示される。メイン画面領域２１ｃには、各種動作画面等が表示される。サブ画面領域２１ｄには、メイン画面領域２１ｃに表示された動作画面に示される内容を補助するため画面（例えば、アニメーション等の図形など）が表示される。
【００３３】
操作スイッチ領域２１ｅには、メイン画面領域２１ｃまたはサブ画面領域２１ｄに表示されている内容に応じたスライドスイッチや操作ボタンなどの操作スイッチ画像が表示される。例えば、操作スイッチ領域２１ｅには、ログインボタン２１ｅ１やメッセージボタン２１ｅ２などの操作スイッチ画像が表示される。
【００３４】
また、操作スイッチ領域２１ｅには、ログインしているユーザを示すログイン表示２１Ｌが表示されている。このログイン表示２１Ｌは、図４（Ｂ）に示すように、「ログインユーザ」と表示されたタイトル表示部２１Ｌ１と、ユーザが属するグループ毎に割り当てられた色が表示されるグループ表示部２１Ｌ２と、ユーザを識別する識別情報であるユーザ名が表示されるユーザ名表示部２１Ｌ３とを備えている。
【００３５】
ここで、各ユーザは職種により分類された複数のグループのいずれかに属しており、グループ毎に可能な操作（操作権限）が設定されている。本実施形態では、グループは操作権限の種別と同義である。このグループは、「マネージャ」、「オペレータ」、「プロセッサ」、「メンテナンス」、「サービス」及び「デザイナ」に分かれている。
【００３６】
「マネージャ」は、ユーザの管理を行う管理者のグループである。「オペレータ」は、射出成形機１の生産管理画面は操作可能であるが、他の画面では表示のみが可能で操作が不可となっているグループである。「プロセッサ」は、成形条件の画面の呼び出し、及び成形条件の設定変更が可能なグループである。「メンテナンス」は、射出成形機１における定数関係を管理し、成形条件の画面の設定変更等が可能なグループである。「サービス」は、射出成形機１の初期設定や保守のための基本設定を行う担当者のグループである。「デザイナ」は、成形条件の画面の設計等を行う担当者のグループである。
【００３７】
本実施形態では、グループ毎に異なる色が割り当てられている。例えば、「マネージャ」は紫色、「オペレータ」は青色、「プロセッサ」は緑色、「メンテナンス」は山吹色、「サービス」は赤橙色、「デザイナ」は赤色に設定されている。
【００３８】
ユーザ名及びパスワード（ログイン情報）、並びにグループ（操作権限の種別）は、互いに関連づけられて不揮発性メモリなどで構成された記憶部５９に記憶されている。また、本実施形態では、射出成形機１が操作されない状態が所定時間継続した場合に制御部６０によってログイン中のユーザのグループが一時的にデフォルトグループ（すなわちデフォルトの種別）に変更される。本実施形態では、このデフォルトグループが「プロセッサ」に設定されている。このデフォルトグループは、図示しない設定変更画面での設定により、「プロセッサ」以外の他のグループに変更することが可能となっている。
【００３９】
機能ラベル表示領域２１ｆには、多機能操作スイッチ４１〜５０に割り当てられている機能を示す機能ラベルが各多機能操作スイッチ４１〜５０に対応するように表示される。なお、これら表示領域は一例であって、各表示領域の表示内容は別のものであってもよく、表示領域の分割構成を変更してもよい。
【００４０】
タッチパネル２２は、表示部２１の表示面に重ねて配置されている。タッチパネル２２には、ユーザによって接触操作が入力される。ここで、接触操作には、例えば、タップ（指やタッチ操作ペンなどで比較的短い期間接触する）、ロングタップ（指等で比較的長い期間接触する）、フリック（指等を接触して所定方向に短く払う（短くスライドする））、スワイプ（タッチパネルの表面に接触させた指等を接触させたまま一方向に滑らせつつタッチパネルの表面から離す）およびドラッグ（タッチパネルの表面に接触させた指等を接触させたまま滑らせる）などがある。
【００４１】
制御部６０は、表示部２１に表示された操作スイッチ画像をタッチパネル２２と組み合わせることによりソフトウェア的に実現したソフトウェア操作スイッチとして機能させる。以下、タッチパネル２２における表示部２１に表示された操作スイッチ画像に対応する箇所をタップすることを、単に「操作ボタンをタップする」という。ドラッグなどの他の操作についても同様である。
【００４２】
制御部６０は、表示操作装置２０の全体の動作を司る機能部であり、ＣＰＵ、ＲＯＭ、ＲＡＭおよび各種インタフェースを備えたコンピュータを有して構成されている。制御部６０は、表示部２１への出力画像の表示制御処理、タッチパネル２２、多機能操作スイッチ４１〜５０、モード操作スイッチ５１〜５５および共用操作スイッチ５６に入力された操作の処理等の各種処理を実行する。
【００４３】
制御部６０は、成形機本体１０のコントローラからの各種表示情報を受信して、これら表示情報に基づく表示制御情報を表示部２１に出力し、タッチパネル２２、多機能操作スイッチ４１〜５０、モード操作スイッチ５１〜５５および共用操作スイッチ５６に入力された操作に応じた機能を実行するための機能実行指令情報を成形機本体１０のコントローラに送信する。制御部６０は、入出力部５８を通じた各種情報の入出力処理を実行する。制御部６０は、表示制御部に相当する。
【００４４】
次に、射出成形機１にユーザがログインする際の動作について説明する。射出成形機１がログアウトしている状態からユーザがログインするときは、図４（Ａ）に示すログインボタン２１ｅ１をタップする。すると、図５に示すように、表示部２１の最前面にログイン画面２１ｍが表示される。
【００４５】
このログイン画面２１ｍでは、ユーザのログイン時のユーザ名を入力するユーザ名入力部２１ｍ１と、ログインのためのパスワードを入力するパスワード入力部２１ｍ２と、グループ名が表示されるグループ名表示部２１ｍ３と、ユーザの変更を行うためのユーザ変更ボタン２１ｍ４と、ログインするためのＯＫボタン２１ｍ５を備えている。また、ユーザ名入力部２１ｍ１の右横には、ポップアップリストで表示されるユーザ名が選択できる選択ボタン２１ｍ６が設けられている。
【００４６】
ユーザは、射出成形機１にログインしようとするときは、ユーザ名入力部２１ｍ１に自分のユーザ名を入力するか、選択ボタン２１ｍ６の操作により表示されたポップアップリストから自己のユーザ名を選択し、パスワード入力部２１ｍ２にパスワードを入力する。ここで、入力されたユーザ名及びパスワードと記憶部５９に記憶されているユーザ名及びパスワードとが一致したときは、制御部６０はユーザのログイン処理を許可する。
【００４７】
ユーザ名「ＴＯＹＯ  ＴＡＲＯ」であるユーザがログインすると、図４（Ｂ）に示すように、ユーザ名表示部２１Ｌ３に「ＴＯＹＯ  ＴＡＲＯ」と表示される。また、グループ表示部２１Ｌ２には、ユーザが属するグループを示す色が表示される。本実施形態では、記憶部５９においてユーザ名「ＴＯＹＯ  ＴＡＲＯ」に関連付けて「オペレータ」が記憶されており、グループ表示部２１Ｌ２は「オペレータ」に割り当てられた青色となっている。
【００４８】
この状態から、射出成形機１の操作が何も行われない状態が所定時間（例えば３０分）継続すると、制御部６０は、ログイン表示２１Ｌの表示を変化させる。具体的には、ログイン表示２１Ｌが、図４（Ｂ）の表示状態から図４（Ｃ）の状態に変化する。図４（Ｃ）の状態では、グループ表示部２１Ｌ２の色がデフォルトグループの「プロセッサ」を示す緑色に変化し、ユーザ名表示部２１Ｌ３はユーザ名が消去されて空欄に変化する。このログイン状態をデフォルト状態という。このデフォルト状態では、デフォルトグループにおいて可能な操作（操作権限内の操作）に制限される。デフォルト状態は、例えば、ログイン中のユーザに再度ログイン情報を入力させて元のグループに戻すこと等により解除される。
【００４９】
この状態では、他のユーザが射出成形機１の表示部２１を見たときは、ログイン表示２１Ｌが表示されているにもかかわらずユーザ名表示部２１Ｌ３にユーザ名が表示されていないことから、現在のログイン状態がデフォルト状態であることを一目で認識することができる。
【００５０】
一方で、射出成形機１の操作が何も行われない状態が所定時間継続する前に、他のユーザが射出成形機１の操作を行うときは、他のユーザは表示部２１に表示されたログイン表示２１Ｌを見ることにより、現在のログインユーザとそのグループを一目で認識することができる。
【００５１】
現在のログインユーザはユーザ名「ＴＯＹＯ  ＴＡＲＯ」であるユーザであり、グループは「オペレータ」、グループ表示部２１Ｌ２は青色となっている。ここで、他のユーザが同じ「オペレータ」のグループであれば、当該他のユーザは射出成形機１にログインし直すことなく射出成形機１の操作を行うことができる。
【００５２】
一方で、他のユーザは、現在のグループが自己のグループと異なる場合は、ログインし直す必要があることを一目で確認できる。この場合、他のユーザは、射出成形機１を緊急に操作する必要がなければ、自己のログイン情報でログインし直すことができる。また、射出成形機１を緊急に操作する必要がある場合は、当該他のユーザは慎重に操作を行うことができる。
【００５３】
次に、射出成形機１におけるメッセージ機能について、図６及び図７を参照して説明する。射出成形機１では、表示部２１のメッセージボタン２１ｅ２をタップすることにより、メッセージ入力画面２１ｎを表示部２１に表示させることができる。
【００５４】
メッセージ入力画面２１ｎは、図６に示すように、メッセージの表示対象グループを指定する対象グループボタン２１ｎ１〜２１ｎ６と、メッセージの表示開始時刻を指定するＯＮ時間指定領域２１ｎ７と、メッセージの表示終了時刻を指定するＯＦＦ時間指定領域２１ｎ８と、指定時間後にメッセージを自動消去するための自動消去指定ボタン２１ｎ９と、日付変更時にメッセージを自動消去するための日付変更時消去ボタン２１ｎ１０を備えている。
【００５５】
また、メッセージ入力画面２１ｎは、メッセージの表示条件を設定した後に当該条件でのメッセージ表示の実行を行うＳＥＴボタン２１ｎ１１と、メッセージ表示のセット状態の取り消しを行う取消ボタン２１ｎ１２と、メッセージの内容を記入するメッセージ記入領域２１ｎ１３と、メッセージ記入領域２１ｎ１３内の文字を消去する文字クリアボタン２１ｎ１４とを備えている。
【００５６】
射出成形機１では、対象グループボタン２１ｎ１〜２１ｎ６によって、「マネージャ」から「デザイナ」までのグループ毎にメッセージを表示させるか否かの選択を行うことができる。すなわち、メッセージ入力画面２１ｎにおいて、メッセージと当該メッセージに対応するグループを入力可能となっている。
【００５７】
例えば、図６に示すように、「マネージャ」の対象グループボタン２１ｎ１がＯＦＦになっており、他のグループの対象グループボタン２１ｎ２〜２１ｎ６がＯＮになっているときは、「マネージャ」のグループに属するユーザに対してはメッセージが表示されず、他のグループに属するユーザに対してのみメッセージが表示されるようになっている。
【００５８】
当該構成により、射出成形機１では、特定のグループに属するユーザのみにメッセージを表示させることが可能となる。つまり、当該メッセージに対応するグループのユーザがログイン中のときのみ当該メッセージを含むメッセージ表示画面２１ｐを表示部２１に表示させる。また、「オペレータ」や「プロセッサ」等のグループに属し射出成形機１の運転を行っているユーザが、「サービス」や「メンテナンス」のグループに属するユーザに対して伝言をしたい場合には、「サービス」や「メンテナンス」のグループのみのボタンをＯＮにして、これらのグループに属するユーザに対して伝えたいメッセージを表示させることができる。
【００５９】
また、射出成形機１では、射出成形機１が所定時間操作されなかった場合に制御部６０によってログインユーザのグループが一時的にデフォルトグループに変更される。また、本実施形態では、このデフォルトグループが「プロセッサ」に設定されている。従って、射出成形機１のログインユーザのグループが一時的にデフォルトグループとなった際には、表示されるメッセージは「プロセッサ」の対象グループボタン２１ｎ３がＯＮになっているメッセージのみとなる。つまり、射出成形機１では、ログイン中のユーザのグループに対応するメッセージを含むメッセージ表示画面２１ｐに代えて、デフォルトグループに対応するメッセージを含むメッセージ表示画面２１ｐを表示部に表示させる。
【００６０】
次に、図７を参照して、メッセージ入力画面２１ｎで設定されたメッセージが表示部２１に表示される状態について説明する。メッセージ入力画面２１ｎのＯＮ時間指定領域２１ｎ７で指定された時刻になると、図７（Ａ）に示すように、表示部２１の表面にメッセージ表示画面２１ｐが表示される。このメッセージ表示画面２１ｐには、メッセージ記入領域２１ｎ１３で記入されたメッセージが表示される。
【００６１】
図７（Ａ）で示されるメッセージは、「オペレータ」のグループに属するユーザ名「ＴＯＹＯ  ＴＡＲＯ」であるユーザに対するメッセージであり、メッセージ入力画面２１ｎにおいて「オペレータ」のグループ向けに作成されたメッセージが表示されている。ユーザ名「ＴＯＹＯ  ＴＡＲＯ」であるユーザとは異なるユーザで「オペレータ」のグループに属する他のユーザにも同様のメッセージが表示される。
【００６２】
また、メッセージ表示画面２１ｐでは、図７（Ｂ）に示すように、メッセージの上方にグループ表示部２１ｐ１を設け、ログインしているユーザが属するグループに割り当てられた色を表示してもよい。これは、ログイン表示２１Ｌにおけるグループ表示部２１Ｌ２の色と同一なる。このような構成とすることにより、ユーザは、このメッセージ表示画面２１ｐが表示部２１に表示されているときは、グループ表示部２１ｐ１によっても現在のログイン中のユーザの属するグループを認識することができる。
【００６３】
図７（Ｂ）で示されるメッセージは、射出成形機１の運転を行っている「オペレータ」や「プロセッサ」等のグループに属するユーザが、「サービス」や「メンテナンス」のグループに属するユーザに対して作成されたメッセージの例を示している。
【００６４】
このように、本実施形態の表示操作装置２０では、メッセージ入力画面２１ｎ及びメッセージ表示画面２１ｐによって、各グループ（操作権限の種別）のユーザに応じたメッセージを作成・表示させることができる。従って、同一のグループ間でのコミュニケーションや、他のグループとのコミュニケーションの円滑化を図ることができる。
【００６５】
なお、上記実施形態では、射出成形機１の操作が何も行われない状態が所定時間経過後、図４（Ｃ）のようにユーザ名表示部２１Ｌ３を空欄にしているが、これに限らず、「デフォルト」と表示してデフォルト状態であることを明記してもよい。
【００６６】
また、上記実施形態では、グループ表示部２１Ｌ２ではグループに割り当てられた色を表示することによりグループ（すなわち、操作権限の種別）を表示しているが、これに限らず、グループ名の「オペレータ」等の文字によりグループを表示してもよく、色と文字、或いは記号によりグループを表示してもよい。
【００６７】
また、上記実施形態では、グループ毎に可能な操作（操作権限）を設定するものであったが、これに限定するものでは無く、ユーザ毎（ユーザの識別情報毎）に可能な操作を設定するものであってもよい。この場合、ユーザの識別情報が操作権限の種別となる。
【符号の説明】
【００６８】
１…射出成形機、１０…成形機本体、２０…表示操作装置、２１…表示部、２１Ｌ…ログイン表示、２１Ｌ２…グループ表示部、２１Ｌ３…ユーザ名表示部、２２…タッチパネル、５８…入出力部、５９…記憶部、６０…制御部。
【図１】
2017179730.tif 000003
【図２】
2017179730.tif 000004
【図３】
2017179730.tif 000005
【図４】
2017179730.tif 000006
【図５】
2017179730.tif 000007
【図６】
2017179730.tif 000008
【図７】
2017179730.tif 000009
【国際調査報告】
2017179730.tif 000010
2017179730.tif 000011
2017179730.tif 000012
2017179730.tif 000013